(57)【要約】  【課題】杖をあらゆる場所で簡単に起立した状態に保持させ得る柔軟性に優れた起立保持具を提供する。  【解決手段】杖の下端部が上向き面に当接した状態で当該杖を起立状態に保持させ得る起立保持具であって、前記上向き面よりも上に位置する物体を挟持し得る対をなすアーム部を有したクリップ部材と、このクリップ部材に取り付けられ前記杖の下端部よりも上側の部位を支持し得る弾性を有した環状部材とを備えているものとした。このようなものであれば、挟持する位置を柔軟に設定でき杖をあらゆる場所で簡単に起立した状態に保持させ得るのみならず携帯性に優れているので使用者の利便性に優れた起立保持具を提供することができる。【選択図】図１
0003207887.tif 000002
【実用新案登録請求の範囲】
【請求項１】
杖の下端部が上向き面に当接した状態で当該杖を起立状態に保持させ得る起立保持具であって、
前記上向き面よりも上に位置する物体を挟持し得る対をなすアーム部を有したクリップ部材と、このクリップ部材に取り付けられ前記杖の下端部よりも上側の部位を支持し得る弾性を有した環状部材とを備えている起立保持具。
【請求項２】
前記クリップ部材が、前記対をなすアーム部を相寄る方向に付勢する部分円環状をなす弾性体を備えている請求項１記載の起立保持具。
【請求項３】
前記環状部材が、前記弾性体に取り付けられている請求項２記載の起立保持具。
【請求項４】
前記環状部材が、伸縮性を有したゴムを主体に構成されている請求項１、２又は３記載の起立保持具。
【考案の詳細な説明】
【技術分野】
【０００１】
本考案は、杖を起立した状態に保持し得る起立保持具に関するものである。
【背景技術】
【０００２】
従来から、杖を起立した状態に保持させるためのものとして、テーブルの縁部や壁面に、杖の一部分を支持可能な構成を設けたものが存在する。
【０００３】
また、長尺物である傘に関しては、天板の上面に添接し得る滑り止めを配した傘ホルダーが存在する（例えば特許文献１参照）
ところが、上述したものは何れも、杖を起立した状態に保持させ得る場所が著しく限られたものとなっている。すなわち、杖は、使用者が常時持ち運ぶものであるにも係わらず、従来のものでは、杖をあらゆる場所で柔軟に起立した状態に保持させ得るものとはなっていなかった。
【先行技術文献】
【特許文献】
【０００４】
【特許文献１】特開２０１２−１２０７８５号公報
【考案の概要】
【考案が解決しようとする課題】
【０００５】
本考案は、このような課題に着目してなされたものであって、主たる目的は、杖を起立した状態に保持させ得る柔軟性に優れた起立保持具を提供することにある。
【課題を解決するための手段】
【０００６】
すなわち、本考案は次の構成をなしている。
【０００７】
請求項１に記載の考案は、杖の下端部が上向き面に当接した状態で当該杖を起立状態に保持させ得る起立保持具であって、前記上向き面よりも上に位置する物体を挟持し得る対をなすアーム部を有したクリップ部材と、このクリップ部材に取り付けられ前記杖の下端部よりも上側の部位を支持し得る弾性を有した環状部材とを備えている起立保持具である。
【０００８】
ここで、「上向き面」とは、上側を向く面であり、例えば、床面、地面、路面等を挙げることができる。
【０００９】
また、「上向き面よりも上に位置する物体」とは、クリップ部材のアーム部により挟持され得るものをいう。「上向き面よりも上に位置する物体」としては、例えば、床面に設置された家具の一部分（天板、支柱、脚体等）や、床面、地面、路面等に立設された柱の一部分や、建築物の一部分や、木等の植物の一部分や、人間の着衣等を挙げることができる。
【００１０】
請求項２に記載の考案は、前記クリップ部材が、前記対をなすアーム部を相寄る方向に付勢する部分円環状をなす弾性体を備えている請求項１記載の起立保持具である。
【００１１】
請求項３に記載の考案は、前記環状部材が、前記弾性体に取り付けられている請求項２記載の起立保持具である。
【００１２】
請求項４に記載の考案は、前記環状部材が、伸縮性を有したゴムを主体に構成されている請求項１、２又は３記載の起立保持具である。
【考案の効果】
【００１３】
以上説明したように本考案によれば、杖を起立した状態に保持させ得る柔軟性に利便性に優れた起立保持具を提供することができる。
【図面の簡単な説明】
【００１４】
【図１】本考案の位置実施形態を示す側面図。
【図２】同実施形態における斜視図。
【図３】同実施形態における斜視図。
【図４】同実施形態における側面図。
【図５】同実施形態における側面図。
【図６】同実施形態における側面図。
【図７】同実施形態における斜視図。
【考案を実施するための形態】
【００１５】
以下、本考案の一実施形態を、図１〜７を参照して説明する。
【００１６】
起立保持具Ａは、杖Ｓの下端部ｓ１が上向き面である床面Ｆに当接した状態で当該杖Ｓを起立状態に保持させ得るものである。起立保持具Ａは、床面Ｆよりも上に位置する物体である家具の天板Ｔを挟持し得るクリップ部材１と、このクリップ部材１に取り付けられ杖Ｓの下端部よりも上側の部位を支持し得る弾性を有した環状部材２とを備えている。
【００１７】
なお、図１、図３、図５、及び、図６では、起立保持具Ａにおけるクリップ部材１が挟んで支持する対象である物体の一例として家具の天板Ｔを示しており、図７では、物体の一例として家具の支柱Ｐを示している。
【００１８】
以下、各構成について詳述する。
【００１９】
クリップ部材１は、図４に示すように、側面視において略くの字状に形成された対をなすアーム部１１と、これら対をなすアーム部１１の各基端部から後方に延出して設けられた操作部１２と、対をなすアーム部１１の基端部に設けられたヒンジ部１３と、対をなすアーム部１１の先端１１ｓを相寄る方向に付勢する部分円環状をなす弾性体１４とを備えている。
【００２０】
一方のアーム部１１と一方の操作部１２とは合成樹脂により一体に成形されており、他方のアーム部１１と他方の操作部１２とは合成樹脂により一体に形成されている。一方のアーム部１１と、他方のアーム部１１とは、ヒンジ部１３を介して相対回動可能に連結している。一方のアーム部１１の先端１１ｓと他方のアーム部１１の先端１１ｓとは、弾性体１４によって相寄る方向に付勢されている。使用者が、手指等で操作部１２を相寄る方向に操作することによって、弾性体１４の弾性反発力に抗して、一方及び他方のアーム部１１の先端１１ｓは相離れる方向に移動し得るようになっている。なお、弾性体１４は、Ｃ字状に形成された金属製のものであり、当該弾性体１４における二箇所の端部が、一方のアーム部１１の外面と他方のアーム部１２の外面にそれぞれ接続している。
【００２１】
環状部材２は、杖Ｓに直接的に係わり合うことにより、当該杖Ｓを支持し得るものである。環状部材２は、伸縮性を有したゴムを主体に構成されている。この実施形態では、環状部材２における一端側すなわち前側の部分２ｍが、クリップ部材１の弾性体１４に取り付けられている。
【００２２】
環状部材２は、ゴムを主体に構成されているものであるため、当該環状部材２を一時的に拡開させることが可能である。このため、杖Ｓの上部に当該環状部材２の囲まれた空間を、比較的簡単に位置させることが可能となっている。  なお、環状部材２は、図１、図５、図７に示すように、単純な単一の環状形状のまま当該杖Ｓの上部を囲むことにより支持する態様（以下、「単純支持態様（Ｂ）」という。）を採ることができる。また、環状部材２は、図６に示すように、ゴムの弾性変形を利用して杖Ｓの上部に複数回巻き付けて支持する態様（以下、「巻き付け支持態様（Ｃ）」という。）を採ることができる。環状部材２が、単純支持態様（Ｂ）を採る場合には、クリップ部材１の物体に対する取付位置を上下方向に比較的柔軟に設定し得るものとなる。一方で、環状部材２が、巻き付け支持態様（Ｃ）を採る場合には、杖Ｓに対して起立保持具Ａを常時支持させることができるため、持ち運びに便宜なものとなる。なお、環状部材２の寸法は自由に設定することができる。特に、図６に示されるように、環状部材２が、比較的長い寸法に設定されたものであれば、起立保持具Ａが、携帯電話のストラップのように杖Ｓに支持され得るものとなる。かかる構成のものであれば、クリップ部材１が移動するための自由度が高まるものとなり、使用者に取り扱いやすいものとなる。
【００２３】
このように、本実施形態に示す起立保持具Ａは、杖Ｓの下端部が上向き面である床面Ｆに当接した状態で当該杖Ｓを起立状態に保持させ得るものである。そして床面Ｆよりも上に位置する物体である天板Ｔを挟持し得る対をなすアーム部１１を有したクリップ部材１と、このクリップ部材１に取り付けられ杖Ｓの下端部ｓ１よりも上側の部位を支持し得る弾性を有した環状部材２とを備えている。このため、杖Ｓを起立した状態に保持させ得る柔軟性や使用者の利便性に優れた起立保持具Ａを提供することができる。
【００２４】
つまり、クリップ部材１によって、家具等の物体のあらゆる場所を挟んで支持することができるため、杖Ｓを起立した状態に保持させるための場所の選択を極めて柔軟に行うことができるものとなる。
【００２５】
クリップ部材１が、対をなすアーム部１１を相寄る方向に付勢する部分円環状をなす弾性体１４を備えている。このため、弾性体１４の付勢力によって、クリップ部材１が、種々の物体を好適に挟持できるものとなっている。
【００２６】
環状部材２が、弾性体１４に取り付けられているものである。このため、環状部材２が、クリップ部材１に好適な位置に配設されたものとなっている。
【００２７】
環状部材２が、伸縮性を有したゴムを主体に構成されている。このため、ゴムの弾性伸縮力を利用して杖Ｓを好適に支持することができるものとなっている。
【００２８】
なお、本考案は、以上に詳述した実施形態に限られるものではない。
【００２９】
上向き面は、上述したような床面に限られるものではない。他の上向き面としては、例えば、地面、路面等を挙げることができる。
【００３０】
上向き面よりも上に位置する物体とは、上述したような天板や支柱に限られるものではなく、クリップ部材のアーム部により挟持され得るものであればどのようなものであってもよい。他の物体としては、例えば、床面に設置された家具の一部分（例えば、ベッドの支柱等）や、床面、地面、路面等に立設された柱の一部分や、建築物の一部分や、木等の植物の一部分や、人間の着衣等を挙げることができる。
【００３１】
クリップ部材の形状も本考案の趣旨を逸脱しない範囲で種々のものを採用することができる。例えば、アーム部の形状を二股タイプのものにしてもよいし、アーム部の先端が基端部よりも幅広な形状をなしたものを採用してもよい。
【００３２】
環状部材は、別体をなす輪ゴム状のものをクリップ部材に括り付けるようにしてもよいのはもちろんのことである。また、環状部材は、弾性を有したものであればよく、ゴムを主体に構成されたものに限られるものではない。環状部材としては、例えば、コイルスプリング状のものや、部分的にのみ伸縮性のあるゴムを用いたもの等が考えられる。
【００３３】
その他、各部の具体的構成についても上記実施形態に限られるものではなく、本考案の趣旨を逸脱しない範囲で種々変形が可能である。
【符号の説明】
【００３４】
Ａ…起立保持具
１…クリップ部材
２…環状部材
Ｓ…杖
Ｆ…床面
【図１】
0003207887.tif 000003
【図２】
0003207887.tif 000004
【図３】
0003207887.tif 000005
【図４】
0003207887.tif 000006
【図５】
0003207887.tif 000007
【図６】
0003207887.tif 000008
【図７】
0003207887.tif 000009